(57)【要約】【目的】専用部材の使用を少なくしより安価でしかも生体を刺激しないで、十分な電気的特性が得られる電極を提案する。【構成】イオン化した水溶液を含浸した多孔質性部材と、この多孔質性部材の少なくとも一部に接触した連結用導電性部材より構成され、多孔質性部材は、不織布、紙、布等の安価で加工が自在なシートを利用し、これに十分イオン化溶液を含浸させた後、シートの一部に導電端子を、挟持するなどして装着させ使用する。本発明において、特注になるのは、導電端子部だけである。【選択図】図１
2004129961.tif 000002
【特許請求の範囲】
【請求項１】
イオン化した水溶液を含浸した多孔質性部材と、この多孔質性部材の少なくとも一部に接触した連結用導電性部材よりなる生体用電極。
【請求項２】
イオン化した水溶液を含浸した多孔質性部材に連結用導電性部材を接触させて使用される生体用電極の取り扱い方法。
【請求項３】
前記イオン化した水溶液が、化粧料、薬剤、導電を目的とした生体親和性溶液である請求項１，２に記載の生体用電極。
【請求項４】
前記多孔質部材が、不織布、綿、布、紙等である請求項１，２に記載の生体用電極。
【請求項５】
前記連結用導電性部材は、前記多孔質性部材を挟持するための構成を有する請求項１，２に記載の生体用電極。
【発明の詳細な説明】
【０００１】
【産業上の利用分野】
本発明は、経皮より通電して薬液、化粧料を投与するため、電気刺激を与えるため、経皮的に電気信号を検出するための生体用の電極に関する。
【０００２】
【従来の技術】
生体へ電気刺激を与えたり、薬液や、化粧料を、電気的に経皮から投与したりする為に用いられている電極（導子）や、心電図等の生体より発する電気信号を検出するために用いられる電極は、生体との界面を形成する界面形成部材、面状の導電性シート及び外部との電気的接続を行う導電性接続部材とにより構成される。
具体的なものとして、特開昭６０−１１６３３０号公報や、特開昭５９−１１８１６７号公報には、界面形成手段を導電性と粘着性を有することで、生体皮膚表面に自己保持能力を持つゲルとするような生体電極が示されている。
このような粘着性を有する天然あるいは合成ゲルを用いた生体電極は、医療分野で現在でも広く用いられており、生体信号を検出するためには好適であるとともに、生体に一様に付着することから、電気刺激を与える為にも、利用されている。
しかしながらこの様な、ゲルは、天然であっても、残留モノマーによる皮膚刺激性があり、皮膚の弱い人やアレルギーを持つ人等においては、赤化や、炎症を起こす場合があった。
これに対し実開昭５５−１５４０３２号公報には、導電片に導電性貼膚薬を塗布した電気的経皮投薬手段であって、使用時、導電片を挟持して使用する構成が開示されている。
【０００３】
当該公報に開示された従来技術は、導電性シートと、軟膏状のイオン性薬物の組み合わせというシンプルな構成を有するものであるが、導電性シートは、広い導電面を有する特殊なシートの形成が必要であり、導電面積が広くなればなるほど、軟膏部分の塗布状態の不均一性から導電部材と皮膚の接触により電流の集中化にともなうイリテーションの危険性があるなど、軟膏の塗布を一様且つ所定の厚みを持っておこなわなければならない等通電形態としては、煩雑な面を持たざるを得ないものであった。
【０００４】
また、実開昭５４−１１９２９３号公報には、含水スポンジと広い導電面を有する導電性シートの組み合わせが開示されている。
イオントフォレーゼや、電気刺激装置の様な、通電を目的とした機器においては、実開昭５５−１５４０３２号公報、実開昭５４−１１９２９３号公報の様な導電面が広く導電性を一様に有する導電性シートを用いることが電流を一様に分散させるため一般的であり、特殊な構成を必要とし、導電性シートと、含水多孔質シートとの確実な結合の為の構成が必要になるなど取り扱いに煩雑さが残る。
【０００５】
【発明が解決しようとする課題】
このように、一様で、広い範囲で電流分散性を必要とし、少なくとも皮膚との界面を形成する手段の広さと同じかそれ以上必要とする導電性シートが、電気刺激装置、イオントフォレーゼで必須とされている現状では、実用上、様々な煩雑さを回避することができない為に、その有効な利用はされるには至っていない。
【０００６】
【課題を解決するための手段】
上記に鑑み本発明は、イオン性溶液を含浸させた多孔質シートの一端に導電端子を接触させることで、導電性シートを必要としない非常にシンプルな生体用電極を実現した。
本発明は、従来広い面積を有する導電性シートを用いずに、イオン性溶液を含浸した多孔質シートを接続するだけで、広い面積での通電が可能であることを知見し本発明に到達したのである。
本発明における導電端子と多孔質シートとの接触は安定して行われればいかなる構成でもよい。例えば、洗濯ばさみの様な挟持タイプの形状で、多孔質部材との接触面に導電部が形成されたものや、導電端子と多孔質シートを接触固定するようなクリップのような第３の部材を用いたり、導電端子と、多孔質シートが、例えば面状ファスナーのような関係を有しており、接触固定可能なものなどが示される。
本発明における導電端子とイオン性溶液含浸多孔質シートとの接触部位は、どの部分でもよく限定されるものでないが、四角状であれば角の部分等の縁部が、挟持する場合好適である。
本発明におけるイオン溶液は、マグネシウムイオン、亜鉛イオン、銀イオン、カリウムイオン、ナトリウムイオン、マンガンイオン、酸素イオン、フッ素イオン、アンモニウムイオン、クロムイオン、チタンイオン等を含む化粧水、等の薬液等が例示されるが、これらに限らずイオン化されていればよく、又導電性のみを期待するのであれば、食塩水であってもよい。又、その形態は、ローション、化粧水の他、流動性があり、多孔質部材に含浸可能な程度であればクリーム状のものであってもよい。
本発明におけるイオン水は、少なくとも０．１重量％以上あればよく好ましくは０．５〜５重量％が示される。当該範囲において、導電性シートが無くても十分な電極として利用可能である。
【０００７】
本発明は、生体電極としての用途、すべてを包含するものであるが、好ましくは、イオントフォレーゼ用の電極として利用され、必要に応じて、最外層に、溶液の蒸散を防止するような、フィルムを覆うように配置してもよい。
本発明の多孔質部材は、不織布、紙、スポンジ、発泡材、綿布、その他の布が例示されるが、含浸量が多いものが好ましい。
本発明における導電性部材は、主に外部電気出力装置から延びた電気リード線と接続する導電性端子を内包するが、導電端子は、カーボン、チタン、銀塩化銀等を利用した、面積がおおよそ数ｍｍ２から数ｃｍ２の面積を持った平面状を有するものが好適に利用されるがこれに限るものではなく、少なくとも導電端子と、多孔質部材とが接触した時、一様な接触がされる程度のものであれば、大きさ形状は、いかなるものであってもよい。
又、本発明は、生体から電気信号を検出するための電極、生体へ電気刺激を出力するための、電極（導子）、生体の皮膚表面から電気的にイオン性薬液、化粧料を導入するイオントフォレーゼ用の電極のいずれにも利用可能であるが、含浸したイオン性溶液を、そのまま投与するイオントフォレーゼ用に用いることが、より合理的であると共に、赤化など反応が生じることを回避しなければならない顔面などデリケートな部位に適用できる点で、より好ましい。
又、本発明は、導電性シートのような特性シートを使用せず、安価で使い捨てが容易な多孔質シートの一部分に導電端子を挟む、つまむ、触れる、押しつける等して接触させるだけで形成されることから、多孔質シートをたとえば顔面上のしみの部分に適合するように任意に切り取り、これにイオン性化粧水を含浸させた後、導電端子を接触させて使用するものであってもよく。美顔器的な利用が最適である。
【０００８】
【実施例】
図１は、本発明の一実施例を示す図である。
１０は、多孔質シートであり、不織布等で形成されている。多孔質シート１０に、イオン性化粧水を十分に含浸させる。１１は、挟持部材であり、内部にバネが配置され、洗濯ばさみ状を有している。把持部１６、１６’を指でもち、両方向から押圧すると、導電部１２側の挟持部１７、１７’が開くようになっており、把持部１６、１６’間の押圧を解除すると、導電部１２側の挟持部１７、１７’の両者は、互いの方向へ移動するような力が働くようになっている。
【０００９】
イオン性化粧水の具体的は配合例を示す。
リン酸Ｌ−アスコルビン酸マグネシウム　　　　３．０００ｇ
グリチルリチン酸ジカリウム　　　　　　　　　０．１００ｇ
１，３−ブチレングリコール　　　　　　　　　３．０００ｇ
グリセリン　　　　　　　　　　　　　　　　　２．５００ｇ
ｄ−σートコフェノール　　　　　　　　　　　０．０１０ｇ
ビタミンＡ油　　　　　　　　　　　　　　　　０．０１０ｇ
ヒアルロン酸ナトリウム液　　　　　　　　　　０．１００ｇ
プロピレングリコール　　　　　　　　　　　　３．０００ｇ
１，２−ペンタンジオール　　　　　　　　　　３．０００ｇ
クエン酸ナトリウム　　　　　　　　　　　　　１．０００ｇ
キサンタンガム　　　　　　　　　　　　　　　０．２００ｇ
ポリオキシエチレンメチルグルコシド　　　　　１．５００ｇ
グリシン　　　　　　　　　　　　　　　　　　０．１００ｇ
Ｌ−アルギニン　　　　　　　　　　　　　　　０．０１０ｇ
酵母エキス　　　　　　　　　　　　　　　　　０．１００ｇ
ダイズエキス　　　　　　　　　　　　　　　　０．１００ｇ
加水分解コラーゲン末　　　　　　　　　　　　０．０１５ｇ
クワエキス　　　　　　　　　　　　　　　　　０．１００ｇ
ローズマリーエキス　　　　　　　　　　　　　０．１００ｇ
クエン酸　　　　　　　　　　　　　　　　　　適量
精製水　　　　　　　　　　　　　　　　　　　適量
【００１０】
１２は、導電部であり、カーボンシート、チタン、銀塩化銀等で形成されている。導電部１２は、面積が、数十　ｍｍ２の長方形状となっている。
１３は、電気リード線であり、外部電気出力手段１４と、導電部１２とを接続するためのものである。
１４は、外部電気入出力手段であり、低周波治療器、イオントフォレーゼのような電気出力を行う場合は、目的の電圧、電流のパルス、直流、交流等を出力する装置であり、心電計のようなものの場合は、増幅器、フィルタ、記録装置などが内蔵されている。
外部電気入出力手段１４が、主に電気を出力する場合、出力極性を〜数十分の間隔で、変えることが、イオン水の分極による導電性の低下を防ぐことができる。
１５は、対極用出力部であり、上述した構成と同様の電極、その他の電極が接続するための部分である。
【００１１】
次に図１で示した実施例の動作を説明する。
多孔質シート１０にビタミン誘導体等のイオン化化粧料溶液を含浸した多孔質シート１０対し、挟持部材１１の把持部側１６、１６’を持ち、互いの方向へ力を加えて、挟持部１７、１７’を開き、導電部１２が、多孔質シート１０に接触する様に挟み把持部１７、１７’への力を解除する。挟持部１７、１７の挟時面には、互いに連続した凹凸が、それぞれ、噛み合うような状態で形成されていることが好ましい。互いに噛み合うように連続した凹凸によって、多孔質シートの外れを防止でき、強固な挟時が実現できる。
多孔質シート１０に、挟持部材１１を挟み込み固定した後、多孔質シート１０を皮膚Ｈに当接する。この多孔質シート１０の両面が使用可能である。
単なる当接の為、第３の固定具が必要になる場合もあるが、多孔質シート１０に含浸されたイオン溶液の表面張力、粘性等と、多孔質シート１０の柔軟性による付着であっても例えば、仰向けに寝た状態で、顔面に多孔質シート１０を当接する場合等、はあてがったままで十分な場合もある。
使用時間は、用途によって異なるが、長時間の場合は、ビニールシートで、覆うようなものであってもよい。
使用後、把持部１７、１７’に再び力を加え、挟持部１６、１６’側の挟持状態を解除して、多孔質シート１０と、挟持部材１１との結合を解除し、多孔質シート１０を皮膚から取り外せばよいのである。
【００１２】
【図面の簡単な説明】
【図１】本発明の一実施例を示す図である。
【符号の説明】
１０　多孔質シート
１１　挟時部材
１２　導電性部材
１３　電気リード線
１４　外部電気入出力手段
１５　対極用出力部
１６、１６’　把持部
１７、１７’　挟時部
【図１】
2004129961.tif 000003